(57)【要約】【課題】買い換えが容易になし得、しかも着信の際の応答も迅速になし得る携帯電話子機およびそれを用いた携帯電話システムを提供する。【解決手段】、携帯電話親機２との通信がなし得るようにされてなる携帯電話子機１であって、腕時計型とされた子機本体１１と、子機本体１１を腕に装着されるバンド１２とを含み、子機本体１１は、マイク２１と、スピーカー２２と、通話処理手段２３と、短距離通信手段２４と、アンテナ２６と、通話オンスイッチ２７と、通話オフスイッチ２８と、それらの制御をなす制御手段３６とを含むものとされてなるものである。【選択図】図１
2009005237.tif 000002
【特許請求の範囲】
【請求項１】
携帯電話親機との通信がなし得るようにされてなる携帯電話子機であって、
腕時計型とされた子機本体と、該子機本体を腕に装着されるバンドとを含み、
前記子機本体は、マイクと、スピーカーと、通話処理手段と、短距離通信手段と、アンテナと、通話オンスイッチと、通話オフスイッチと、それらの制御をなす制御手段とを含むものとされてなることを特徴とする携帯電話子機。
【請求項２】
子機本体は、バイブレータと発光ダイオードとを含むものとされてなることを特徴とする請求項１記載の携帯電話子機。
【請求項３】
子機本体は、液晶表示装置を含むものとされてなることを特徴とする請求項１または２記載の携帯電話子機。
【請求項４】
子機本体は、デジタル時計手段を含むものとされてなることを特徴とする請求項３記載の携帯電話子機。
【請求項５】
携帯電話子機と、該携帯電話子機と通信がなし得るようにされてなる携帯電話親機とを備えてなることを特徴とする携帯電話システム。
【発明の詳細な説明】
【技術分野】
【０００１】
本発明は、携帯電話子機およびそれを用いた携帯電話システムに関する。さらに詳しくは、所定の携帯電話（親機）を介して通話がなし得る腕時計型とされた携帯電話子機およびそれ用いた携帯電話システムに関する。
【背景技術】
【０００２】
現在、携帯電話は移動中においても通話などがなし得るなどの利便性から爆発的に普及しつつある。また、その普及にあわせて機能も多機能化しつつある。例えば、通話やメールはもちろんのこと、カメラ機能、ビデオ機能、テレビ機能、おさいふ機能、ナビゲーション機能などの本来機能以外の機能を備えたものが出現してきている。そして、その多機能化とともに携帯電話が高価なものとなりつつある。そのため、気軽に買い換えることはできなくなってきている。なお、機能追加などにつられて頻繁に買い換えを行った場合、資源浪費および環境汚染の要因となるおそれもある。
【０００３】
一方、携帯電話の携帯は、そのサイズが比較的大きいところから、一般的には、鞄やハンドバックに入れてなされている。そのため、移動途中に着信があった場合、応答が迅速になし得ないという問題がある。また、鞄などに入れているため、着信音が聞き取りにくく、着信があったことがわからないこともあるという問題もある。
【０００４】
なお、腕バンドに携帯電話機能を持たせたものについては、特許文献１に提案がなされている。
【特許文献１】特開２００２−３６０３１７号公報
【発明の開示】
【発明が解決しようとする課題】
【０００５】
本発明はかかる従来技術の課題に鑑みなされたものであって、買い換えが容易になし得、しかも着信の際の応答も迅速になし得る携帯電話子機およびそれを用いた携帯電話システムを提供することを目的としている。
【課題を解決するための手段】
【０００６】
本発明の携帯電話子機は、携帯電話親機との通信がなし得るようにされてなる携帯電話子機であって、腕時計型とされた子機本体と、該子機本体を腕に装着されるバンドとを含み、前記子機本体は、マイクと、スピーカーと、通話処理手段と、短距離通信手段と、アンテナと、通話オンスイッチと、通話オフスイッチと、それらの制御をなす制御手段とを含むものとされてなることを特徴とする。
【０００７】
本発明の携帯電話子機においては、子機本体は、バイブレータと発光ダイオードとを含むものとされてなるのが好ましい。
【０００８】
また、本発明の携帯電話子機においては、子機本体は、液晶表示装置を含むものとされてなるのが好ましい。その場合、子機本体は、デジタル時計手段を含むものとされてなるのがさらに好ましい。
【０００９】
本発明の携帯電話システムは、携帯電話子機と、該携帯電話子機と通信がなし得るようにされてなる携帯電話親機とを備えてなることを特徴とする。
【発明の効果】
【００１０】
本発明によれば、携帯電話親機を鞄などに入れておいても、着信時に迅速に応答することができるという優れた効果が得られる。
【００１１】
また、携帯電話子機は腕時計型とされて腕に装着されているので、携帯電話親機からの転送を確実に検知でき、従来のように鞄などに入れているために着信がわからないことがあるという不具合も解消できるという優れた効果が得られる。
【００１２】
さらに、携帯電話子機は腕時計型とされているので、複数の子機を持ったとしてもそのためによる負担は少なく、かえってバリエーションを楽しめるという優れた効果も得られる。
【発明を実施するための最良の形態】
【００１３】
以下、添付図面を参照しながら本発明を実施形態に基づいて説明するが、本発明はかかる実施形態のみに限定されるものではない。
【００１４】
図１に、本発明の一実施形態に係る携帯電話システムＳを概略ブロック図で示す。
【００１５】
携帯電話システムＳは、図１に示すように、携帯電話子機（以下、単に子機という）１と、携帯電話親機（以下、単に親機という）２とを主要構成要素として備えてなるものとされる。
【００１６】
図２および図３に、子機１の一例を概略図および機能ブロック図でそれぞれ示す。
【００１７】
子機１は、図２および図３に示すように、腕時計型とされた子機本体１１と、バンド１２とを含むものとされる。
【００１８】
子機本体１１は、機能部１３と、機能部１３のほとんどを収容する薄型箱状とされたハウジング１４とを含むものとされる。
【００１９】
機能部１３は、図３に示すように、マイク２１およびスピーカー２２と、通話処理手段２３と、短距離通信手段２４と、通信状態判定手段２５と、アンテナ２６と、通話オンスイッチ２７および通話オフスイッチ２８と、デジタル時計手段２９と、表示・時刻調整スイッチ３０と、液晶表示装置３１と、発光ダイオード３２と、バイブレータ３３と、バッテリー状態判定手段３４と、タイマー３５と、制御手段３６と、バッテリー３７とを含むものとされる。
【００２０】
マイク２１およびスピーカー２２は、従来より携帯電話をハンズフリーに操作するために用いられているユニットに用いられているものを好適に用いることができる。マイク２１およびスピーカー２２は、図２に示すように、ハウジング１４の裏面側に所定の間隔で配置されている。
【００２１】
通話処理手段２３は、マイク２１からの音声入力を通話信号に変換して短距離通信手段２４に出力するとともに、短距離通信手段２４からの通話信号を音声出力に変換してスピーカー２２に出力する機能を有するものとされる。かかる機能を有する通話処理手段２３としては、従来より携帯電話の通話処理用いられている通話処理モジュールを好適に用いることができる。なお、この通話処理モジュールは、ハウジング１４内に収納できるようできるだけ小型化されているのが好ましい。
【００２２】
短距離通信手段２４は、鞄などにいれられた親機２と短距離通信をなす機能を有するものとされ、例えばブルートゥースを用いた通信チップとすることができる。なお、この通信チップは、ハウジング１４内に収納できるようできるだけ小型化されているのが好ましい。
【００２３】
通信状態判定手段２５は、通信状態例えば電波の強弱を判定する機能を有するものとされ、従来より携帯電話に用いられている通信状態判定モジュールを好適に用いることができる。なお、この通信状態判定モジュールは、ハウジング１４内に収納できるようできるだけ小型化されているのが好ましい。
【００２４】
アンテナ２６は、公知の内蔵アンテナとされる。
【００２５】
通話オンスイッチ２７および通話オフスイッチ２８は、押しボタンスイッチとされ、押下することにより通話がオンされたりオフされたりする。通話オンスイッチ２７および通話オフスイッチ２８は、図２に示すように、ハウジング１４の表面側の適宜位置、図示例のおいては上端部側に所定の間隔で対称に配置されている。
【００２６】
デジタル時計手段２９は、従来よりデジタル時計に用いられているデジタル時計モジュールを好適に用いることができる。
【００２７】
表示・時刻調整スイッチ３０は、エンコーダ内蔵竜頭型スイッチとされ、押下することにより液晶表示装置３１に時刻、通信状態およびバッテリー容量を所定時間表示させるよう指令することができるようにされている。また、表示・時刻調整スイッチ３０は、押し回しながら時刻の調整をすることができるようにされてなるものとされる。つまり、回転量に応じて制御手段３６の制御により時刻の調製がなし得るようにされてなるものとされる。なお、エンコーダ内蔵竜頭型スイッチとしては、従来よりデジタル腕時計に用いられているものを好適に用いることができる。
【００２８】
液晶表示装置３１は、制御手段３６の制御により時刻、電波状態、バッテリー残量などを表示するようにされてなるものとされ、従来よりデジタル腕時計に用いられているものを好適に用いることができる。液晶表示装置３１の表示部は、図２に示すように、ハウジング１４の表面側の中央部に配置されている。
【００２９】
発光ダイオード３２は、制御手段３６の制御により着信時に点滅するようにされてなるものとされ、従来よりデジタル腕時計に用いられているものを好適に用いることができる。発光ダイオード３２は、図２に示すように、通話オンスイッチ２７および通話オフスイッチ２８と液晶表示装置３１との間に配置されている。
【００３０】
バイブレータ３３は、制御手段３６の制御により着信時に作動するようにされてなるものされ、従来よりデジタル腕時計に用いられているものを好適に用いることができる。
【００３１】
バッテリー状態判定手段３４は、バッテリー３７の残量を判定する機能を有するものとされ、従来より携帯電話に用いられているバッテリー状態判定モジュールを好適に用いることができる。なお、このバッテリー状態判定モジュールは、ハウジング１４内に収納できるようできるだけ小型化されているのが好ましい。
【００３２】
制御手段３６およびタイマー３５は、従来より携帯電話に用いられているものを好適に用いることができる。
【００３３】
なお、前記各モジュールおよび制御手段３６は、例えばＩＣチップに一体化されてもよい。
【００３４】
バッテリー３７は、従来より携帯電話に用いられているものを好適に用いることができるが、通時間、通信距離が短距離であるところから、小容量のものとして小サイズ化することが好ましい。なお、図中の符号３８は、バッテリー３７を充電するための充電器の端子の接続口を示す。
【００３５】
ハウジング１４は、図２に示すように、表面側に通話オンスイッチ用窓１４ａ、通話オフスイッチ用窓１４ｂと、発光ダイオード用窓１４ｃおよび液晶表示装置用窓１４ｄを有し、裏面側にマイク用窓１４ｅ、スピーカー用窓１４ｆ、バッテリー用窓１４ｇおよびバッテリー用窓カバー１４ｈを有し、一側端に充電器の端子の接続口用窓１４ｉを有し、他側端に表示・時刻調整スイッチ用窓１４ｊを有するものとされる。
【００３６】
また、ハウジング１４の一端（マイク側端）にはハンド１２の一端が着脱不自在に装着される一方、他端（スピカー側端）にはバンド１２の他端が着脱自在に装着される。
【００３７】
バンド１２は、腕からの取外しが容易な点から伸縮性のあるメタルバンドとされるのが好ましい。
【００３８】
図４に親機２を概略図で示し、図５にその制御手段６０をブロック図で示す。
【００３９】
親機２は、図４および図５に示すように、通常の携帯電話に子機１との通信がなし得るよう機能が付加されてなるものとされる。
【００４０】
すなわち、図４に示すように、液晶表示装置５１、通常の通話オンスイッチ５２および通話オフスイッチ５３、マルチスイッチ５４、ダイヤルボタン群５５の他に、親機２を子機転送モードとする子機転送オンスイッチ５６、および親機２を子機転送モードから解除する子機転送オフスイッチ５７とを含むものとされる。
【００４１】
また、制御手段６０は、子機転送処理部６１が付加されてなるものとされる。この子機転送処理部６１は、例えば、子機転送オンスイッチ５６および子機転送オフスイッチ５７に応答して着信時に子機１に転送したりしなかったりするよう構成されたプログラムを付加することにより実現される。
【００４２】
次に、かかる構成とされた子機１による通話について説明する。なお、親機２は子機転送モードに設定されているものとする。
【００４３】
手順１：親機２の着信に応答して親機２の制御手段６０の子機転送処理部６１は、子機１への転送処理をなす。
【００４４】
手順２：子機１の制御手段３６は、アンテナ２６、短距離通信手段２４、通話処理手段２３を介して親機２からの転送を検知すると、バイブレータ３３を所定時間動作させるとともに、発光ダイオード３２を所定時間点滅させる。
【００４５】
手順３：通話オンスイッチ２８がオンされると、それに応答して制御手段３６は、受信内容を通話処理手段２３にスピーカー２２から出力させる一方、マイク２１からの入力を通話処理手段２３および短距離通信手段２４を介してアンテナ２６から親機２に送信させる。
【００４６】
手順４：通話が終了して通話オフスイッチ２８がオンされると、制御手段３６はそれに応答して通話処理手段２３および短距離通信手段２４による受信および送信を終了させる。
【００４７】
このように、本実施形態によれば、携帯電話に子機１を設けるとともに、携帯電話つまり親機２を子機１との通信がなし得るようにしているところから、鞄などに親機２を入れておいても、着信時に迅速に応答がなし得る。また、子機１は腕に装着されるともに、親機２からの転送をバイブレータ３３の振動および発光ダイオード３２の点滅により知らせるようにされているので、親機２からの転送を確実に知ることができる。
【００４８】
また、子機１は腕時計型とされているので、安価であり複数の子機１を設けても利用者の負担はあまり大きくならず、かえって種々の状況に応じて付け替えがなし得、バリエーションを楽しむことができる。
【００４９】
以上、本発明を実施形態に基づいて説明してきたが、本発明はかかる実施形態のみに限定されるものではなく、種々改変が可能である。例えば、バンド１２はメタルバンドとされているが、皮バンドとすることもビニールバンドとすることもできる。
【００５０】
また、親機２に三者通話スイッチを設けるとともに、制御手段６０に三者通話処理部を設けることにより、子機１の通話中にも親機２の通話もなし得るようにすることもできる。
【産業上の利用可能性】
【００５１】
本発明は、携帯電話に適用できる。
【図面の簡単な説明】
【００５２】
【図１】本発明の携帯電話子機を用いた携帯電話システムの概略図である。
【図２】携帯電話子機の概略図であって、同（ａ）は表面図を示し、同（ｂ）は裏面図を示す。
【図３】携帯電話子機の機能ブロック図である。
【図４】携帯電話親機の概略図である。
【図５】同制御手段のブロック図である。
【符号の説明】
【００５３】
１      子機
２      親機
１１      子機本体
１２      バンド
１３      機能部
１４      ハウジング
２１      マイク
２２      スピーカー
２３      通話処理手段
２４      短距離通信手段
２７      通話オンスイッチ
２８      通話オフスイッチ
３１      液晶表示装置
３２      発光ダイオード
３３      バイブレータ
３６      制御手段
５６      子機転送オンスイッチ
５７      子機転送オフスイッチ
６０      制御手段
６１      子機転送処理部
Ｓ      携帯電話システム
【図１】
2009005237.tif 000003
【図２】
2009005237.tif 000004
【図３】
2009005237.tif 000005
【図４】
2009005237.tif 000006
【図５】
2009005237.tif 000007